(57)【特許請求の範囲】
【請求項１】
音信号のうち、利用者が接触した状態で回転させる操作部に対する操作に応じた部分の音を放音装置に再生させる再生制御部と、
前記操作部の中央部に平面視で重なり、前記音信号の前記部分に対応した振動信号に応じて前記操作部を振動させる振動付与部と
を具備する再生システム。
【請求項２】
音信号のうち、利用者が接触した状態で操作する操作部に対する操作に応じた部分の音を放音装置に再生させる再生制御部と、
前記操作部に載置され、前記音信号の前記部分に対応した振動信号に応じて前記操作部を振動させる振動付与部と
を具備する再生システム。
【請求項３】
前記操作部の表面に形成された係合部と、
前記振動付与部を収容する筐体とを具備し、
前記筐体は、前記係合部と係合する
請求項２の再生システム。
【請求項４】
時間データの時系列が記録されたレコードが、利用者が接触により当該レコードを回転できる状態で載置される載置部と、
前記レコードから前記時間データを検出する検出部と、
音信号のうち前記検出部が検出した前記時間データが示す部分の音を放音装置に再生させる再生制御部と、
前記音信号の前記部分に対応した振動信号に応じて前記レコードを振動させる振動付与部と
を具備する再生システム。
【発明の詳細な説明】
【技術分野】
【０００１】
本発明は、音を再生するための技術に関する。
【背景技術】
【０００２】
音を再生するための各種の技術が従来から提案されている。例えば、特許文献１の技術には、円盤状に形成されて回動自在な操作装置に対する利用者の操作に応じて、光ディスクに記録された音楽データが表す音の再生位置を変化させる技術が開示されている。
【先行技術文献】
【特許文献】
【０００３】
【特許文献１】特開２００４−８８２５９号公報
【発明の概要】
【発明が解決しようとする課題】
【０００４】
特許文献１の技術では、再生位置に対応する音を聴覚的にしか知覚できず、利用者にとって操作装置に対する操作感は優れなかった。以上の事情を考慮して、本発明は、再生音を利用者に触覚的に感じ取らせることを目的とする。
【課題を解決するための手段】
【０００５】
以上の課題を解決するために、本発明の好適な態様に係る再生システムは、利用者が接触した状態で操作する操作部に対する操作に応じた音を放音装置に再生させる再生制御部と、前記音に対応した振動信号に応じて前記操作部を振動させる振動付与部とを具備する。【０００６】
本発明の好適な態様に係る振動装置は、音信号のうち、利用者が接触した状態で操作する操作部に対する操作に応じて変化する再生点に対応する部分に応じて前記操作部を振動させる振動付与部を具備する。【０００７】
本発明の好適な態様に係る再生システムの制御方法は、利用者が接触した状態で操作する操作部に対する操作に応じた音を放音装置に再生させ、前記音に対応した振動信号に応じて前記操作部を振動させる。
【図面の簡単な説明】
【０００８】
【図１】本発明の第１実施形態に係る再生システムの構成図である。
【図２】図１における操作装置の断面図である。
【図３】操作検出部が生成する操作情報の説明図である。
【図４】音信号の時間軸上での再生点の変化の説明図である。
【図５】振動装置の構成図である。
【図６】制御システムの制御装置のフローチャートである。
【図７】本発明の第２実施形態に係る操作装置の構成図である。
【図８】図７における操作装置の断面図である。
【図９】制御システムの制御装置のフローチャートである。
【図１０】第６実施形態における操作装置の構成を示す断面図である。
【図１１】第７実施形態における操作装置の構成を示す断面図である。
【図１２】第７実施形態における基礎部および振動部の平面図である。
【図１３】第８実施形態における操作装置の構成を示す断面図である。
【図１４】第９実施形態における操作装置の部分的な平面図および断面図である。
【図１５】第９実施形態の変形例における操作装置の部分的な平面図および断面図である。
【図１６】変形例に係る振動信号の説明図である。
【発明を実施するための形態】
【０００９】
＜第１実施形態＞
図１は、本発明の第１実施形態における再生システム１の構成図である。第１実施形態の再生システム１は、例えば楽曲を再生するコンピュータシステムであり、クラブまたはライブハウス等の各種イベント会場に設置される。再生システム１の利用者は、例えばディスクジョッキー（ＤＪ）である。
【００１０】
図１に例示される通り、第１実施形態の再生システム１は、制御システム１０と操作装置２０と振動装置３０とを具備する。操作装置２０は、制御システム１０が再生する楽曲のうち時間軸上において再生される時点（「再生点」という）Ｐを変化させるために利用者が操作する操作機器である。再生点Ｐは操作装置２０（操作部２３０）に対する操作で変化すると換言してもよい。振動装置３０は、制御システム１０が再生する音を振動により触覚的に利用者に知覚させる機器である。操作装置２０および振動装置３０の詳細については、後述する。
【００１１】
制御システム１０は、楽曲の再生と振動装置３０の振動とを利用者からの指示に応じて制御する。例えばスマートフォン、タブレット端末またはパーソナルコンピュータ等の可搬型の情報端末が制御システム１０として利用されてもよい。制御システム１０は、有線または無線で操作装置２０および振動装置３０と接続される。第１実施形態では、Bluetooth（登録商標）またはＷi-Ｆi（登録商標）等の近距離無線通信より、制御システム１０と操作装置２０および振動装置３０の各々とが接続される。
【００１２】
図１に例示される通り、制御システム１０は、記憶装置１１０と通信装置１２０と放音装置１３０と表示装置１４０と入力装置１５０と制御装置１６０とを具備する。記憶装置１１０は、制御装置１６０が実行するプログラムと制御装置１６０が使用する各種のデータ（例えば音信号）とを記憶する。音信号は、楽曲の演奏により発音される音響（例えば歌唱音または演奏音）の時間波形を表現する。例えば半導体記録媒体等の公知の記録媒体が記憶装置１１０として任意に採用される。制御システム１０に対して着脱可能な記録媒体を記憶装置１１０として利用してもよい。通信装置１２０は、操作装置２０および振動装置３０と通信するための通信機器である。
【００１３】
放音装置１３０（例えばスピーカー）は、制御装置１６０（再生制御部６２）から供給される音信号に応じた楽曲を再生する。つまり、放音装置１３０は、楽曲に応じた音響を空気振動として放射する。なお、制御システム１０に外付けされた放音装置１３０、または、制御システム１０と通信可能な放音装置１３０を楽曲の再生に利用してもよい。つまり、放音装置１３０と制御システム１０とは別体および一体の何れでもよい。表示装置１４０は、例えば液晶表示パネルであり、制御装置１６０から指示された各種の画像を表示する。具体的には、表示装置１４０は、再生する楽曲の音信号の波形を表示する。
【００１４】
入力装置１５０は、制御システム１０に対する各種の指示のために利用者が操作する操作機器であり、例えば利用者が操作する複数の操作子を含んで構成される。なお、表示装置１４０と一体に構成されたタッチパネルを入力装置１５０として採用してもよい。入力装置１５０は、例えば楽曲の再生の開始および終了の指示を利用者から受け付ける。
【００１５】
制御装置１６０は、記憶装置１１０に記憶されたプログラムを実行することで、楽曲の再生と振動装置３０の振動とを制御するための機能（再生制御部６２および振動制御部６４）を実現する。なお、制御装置１６０の一部の機能を専用の電子回路で実現した構成、または、制御装置１６０の機能を複数の装置に分散した構成を採用してもよい。
【００１６】
再生制御部６２は、楽曲を放音装置１３０に再生させる。具体的には、再生制御部６２は、楽曲の音信号のうち再生点Ｐに対応する部分（以下「再生部分」という）が表す音を放音装置１３０に再生させる。再生部分は、音信号を構成するサンプルの時系列である。第１実施形態の再生制御部６２は、所定の周期ｔ毎（時刻ｔ1，ｔ2，ｔ3，…）に再生点Ｐを音信号の時間軸上で移動量Ｅだけ移動させて、当該移動後の再生点Ｐに対応した再生部分（すなわち音信号の一部）を放音装置１３０に供給する。周期ｔは、楽曲の時間長に対して非常に短い期間である。第１実施形態の移動量Ｅは、操作装置２０に対する操作に応じて変化し、操作装置２０に対する操作がない場合は一定である。他方、再生点Ｐは、操作部２３０に対する操作がある場合は、当該操作に応じて変化する。操作部２３０に対する操作については、後述する。
【００１７】
楽曲の再生開始の指示を入力装置１５０が受け付けると、再生制御部６２は、操作装置２０に対する操作がない状態では、楽曲の先頭から末尾にむかって（つまり時間軸上の後方にむかって）再生点Ｐを周期ｔ毎に音信号の時間軸上で移動量Ｅ0だけ移動させる。移動量Ｅ0は一定である。周期ｔ毎に移動量Ｅ0だけ再生点Ｐが後方に移動する状態では、楽曲を通常の状態（早送りおよび早戻し等していない状態）で再生させる。他方、操作装置２０に対する操作があると、再生制御部６２は、操作装置２０への操作に応じて再生点Ｐを音信号の時間軸上で変化させる。
【００１８】
図２は、図１の振動装置３０におけるIII−III線の断面図である。操作装置２０は、上述した通り、再生点Ｐを変化させるために利用者が操作する操作機器であり、例えばターンテーブルである。具体的には、操作装置２０は、図２に例示される通り、筐体２１０と操作部２３０と操作検出部２５０と通信装置２７０とを具備する。筐体２１０は、例えば直方体に形成された中空の構造体である。操作部２３０は、筐体２１０の１つの上面に設置され、操作検出部２５０と通信装置２７０とは、筐体２１０に収容される。
【００１９】
操作部２３０は、図１に例示される通り、再生点Ｐを変化させるために利用者が接触した状態で操作する操作子である。第１実施形態の操作部２３０は、筐体２１０に支持された円盤であり、利用者の操作に応じて回転する。操作部２３０は、右回り（時計回り）および左回り（反時計回り）の双方向に回転する。利用者は、手のひらを操作部２３０の表面に接触させた状態で任意の方向および速度で回転させることで、再生点Ｐを変化させる。再生点Ｐを変化させる操作は、例えばスクラッチ等のＤＪプレイであり、楽曲の時間軸上のうち任意の時点で行われる。操作部２３０の回転方向は、楽曲の時間軸上（つまり音信号の時間軸上で）での再生点Ｐの移動方向に対応する。具体的には、右回りに操作部２３０を回転させる動作は、再生点Ｐを時間軸上で後方（順方向）に移動させる操作（例えば早送り）に対応し、左回りに操作部２３０を回転させる動作は、再生点Ｐを時間軸上で前方（逆方向）に移動させる操作（例えば早戻し）に対応する。
【００２０】
操作検出部２５０は、操作部２３０に対する操作に応じた操作情報を生成する。具体的には、操作検出部２５０は、図３の操作部２３０の回転量Ｄと回転方向（右回りＸBまたは左回りＹB）とを含む操作情報を周期ｔ毎に生成する。周期ｔにおける回転量Ｄが大きいほど、利用者が操作部２３０を回転させる速度は速い。第１実施形態の操作検出部２５０は、操作部２３０に対する操作を表す検出信号を検出し、当該検出信号から操作情報を生成する。検出信号の生成には、例えば操作部２３０の回転を光学的に検出するロータリーエンコーダー等のセンサーを利用してもよい。図３では、左回りＹBに回転させる操作に連続して右回りＸBに回転させる操作が時刻ｔ0から時刻ｔ3にかけて操作部２３０に対して行われた場合に生成される操作情報を想定する。操作検出部２５０は、図３に例示される通り、時刻ｔ1においては回転量Ｄ1と左回りＹBとを含む操作情報を、時刻ｔ2においては回転量Ｄ2と左回りＹBとを含む操作情報を、時刻ｔ3においては回転量Ｄ3と右回りＸBとを含む操作情報をそれぞれ生成する。なお、回転量Ｄ3は、操作部２３０を左回りＹBに回転させる速度が右回りＸBに回転させる速度よりも速かったので、回転量Ｄ1および回転量Ｄ2よりも大きい。
【００２１】
図２の操作装置２０の通信装置２７０は、制御システム１０と通信するための通信機器である。具体的には、通信装置２７０は、操作検出部２５０が生成した操作情報を制御システム１０に順次に送信する。
【００２２】
図１の制御システム１０の通信装置１２０は、操作装置２０の通信装置２７０が送信した操作情報を受信する。再生制御部６２は、通信装置１２０が受信した操作情報に応じて再生点Ｐを音信号の時間軸上で移動させる。操作情報には、上述した通り、操作部２３０の回転方向（ＸBまたはＹB）と回転量Ｄとが含まれる。具体的には、再生制御部６２は、回転方向に応じた方向に回転量Ｄに応じた移動量Ｅだけ再生点Ｐを周期ｔ毎に移動させる。再生点Ｐは、回転方向が右回りＸBの場合は時間上で後方に移動し、回転方向が左回りＹBの場合は時間軸上で前方に移動する。回転量Ｄが多いほど、移動量Ｅは大きい。
【００２３】
図４は、音信号の時間軸上での再生点Ｐの変化の説明図である。図４では、時刻ｔ1，時刻ｔ2および時刻ｔ3の各々における操作情報を通信装置１２０がこの順番で受信した場合の再生点Ｐの変化を想定する。操作部２３０の回転方向（右回りＸB）は、音信号の時間軸上の後方ＸAに対応し、操作部２３０の回転方向（左回りＹB）は、音信号の時間軸上の前方ＹAに対応する。再生制御部６２は、図４に例示される通り、時刻ｔ0から時刻ｔ1にかけて回転量Ｄ1に応じた移動量Ｅ1だけ再生点Ｐを前方ＹAに移動させる。再生制御部６２は、時刻ｔ1から時刻ｔ2にかけて回転量Ｄ2に応じた移動量Ｅ2だけ再生点Ｐを前方ＹAに移動させる。再生制御部６２は、時刻ｔ2から時刻ｔ3にかけて回転量Ｄ3に応じた移動量Ｅ3だけ再生点Ｐを後方ＸAに移動させる。なお、再生制御部６２は、図４に例示される通り、利用者による操作部２３０に対する操作が終了すると、楽曲の後方ＸAに移動量Ｅ0だけ再生点Ｐを時刻ｔ3の位置から周期ｔ毎（時刻ｔ4，ｔ5…）に再び移動させる、つまり通常の再生に戻る。
【００２４】
図１の放音装置１３０は、音信号のうち再生制御部６２から供給された再生部分が表す音を放音する。操作部２３０に対する操作がされていない場合、つまり周期ｔ毎に後方ＸAへ移動量Ｅ0だけ再生点Ｐが移動する場合、利用者は、通常の速度で楽曲が再生されているように感じる。それに対して、例えば操作部２３０を右回りＸBに回転させる操作があった場合、利用者は、移動量Ｅが移動量Ｅ0より大きい場合は速く（つまり早送りされているように）感じ、移動量Ｅが移動量Ｅ0より小さい場合は遅く（つまり遅送りされているように）感じる。例えば図４の移動量Ｅ3は移動量Ｅ0よりも大きいので、利用者は、早送りで再生されているように感じる。以上の説明から理解される通り、操作部２３０に対する操作に応じて楽曲の再生速度と再生方向とが変化する。
【００２５】
図１の振動制御部６４は、音信号のうち再生部分に応じて操作部２３０を振動させるための信号（以下「振動信号」という）を生成する。第１実施形態の振動制御部６４は、音信号のうち再生制御部６２が放音装置１３０に供給する再生部分を振動信号として生成する。通信装置１２０は、振動制御部６４が生成した振動信号を振動装置３０に送信する。
【００２６】
振動装置３０は、楽曲のうち再生点Ｐに対応する音に応じて振動する機器であり、図２に例示される通り、操作部２３０の表面（例えば操作部２３０の表面の中心）に載せられる。振動装置３０の振動は操作部２３０に伝播する。利用者は、振動装置３０が表面に載せられた操作部２３０を接触した状態で操作するので、振動装置３０の振動を操作部２３０から感じ取ることができる。
【００２７】
具体的には、振動装置３０は、図５に例示される通り、筐体３１０と通信装置３３０と振動付与部３５０とを具備する。筐体３１０は、円柱状に形成された中空の構造体である。通信装置３３０と振動付与部３５０とは筐体３１０に収容される。通信装置３３０は、制御システム１０と通信するための通信機器である。具体的には、通信装置３３０は、制御システム１０が送信した振動信号を受信する。
【００２８】
振動付与部３５０は、振動信号（つまり再生部分）に応じて操作部２３０を振動させる。具体的には、振動付与部３５０は、通信装置３３０が受信した振動信号に応じて筐体３１０を振動させることで、筐体３１０（振動装置３０）が載せられた操作部２３０を振動させる。筐体３１０は、再生部分の振幅が大きいほど強く振動する。
【００２９】
振動付与部３５０としては、偏心モータ、リニア・バイブレータまたは圧電素子等のアクチュエータが好適に利用されてもよい。偏心モータは、偏心錘が回転軸に固定されたモータである。振動信号を偏心モータに供給することで、音信号の再生部分に応じた振動が筐体３１０に発生する。リニア・バイブレータは、コイルに対する給電で磁界を発生させることで可動体を変位させるアクチュエータである。リニア・バイブレータのコイルに振動信号を供給することで、音信号の再生部分に応じた振動が筐体３１０に発生する。圧電素子は、相対向する一対の電極の間に圧電体を介在させた駆動素子である。圧電素子の一方の電極に振動信号を供給することで、音信号の再生部分に応じた振動が筐体３１０に発生する。なお、振動付与部３５０に電力を供給する電池（図示略）が筐体３１０に内蔵されている。振動付与部３５０に外部から電力を供給してもよい。
【００３０】
筐体３１０が載せられた操作部２３０は、筐体３１０の振動に連動して振動する。したがって、操作部２３０を接触した状態で操作する利用者は、放音装置１３０に供給される再生部分に応じた振動を感じることができる。以上の説明から理解される通り、利用者は、再生部分が表す音を、放音装置１３０の放音により聴覚的に感じ取るだけでなく触覚的に感じ取ることができる。
【００３１】
図６は、制御システム１０の制御装置１６０のフローチャートである。利用者からの楽曲再生の指示を契機として図６の処理が開始される。再生制御部６２は、楽曲の先頭から末尾にむかって（つまり時間軸上の後方ＸAにむかって）再生点Ｐを音信号の時間軸上で移動量Ｅ0だけ移動させる（Ｓ1）。再生制御部６２は、ステップＳ1で移動した再生点Ｐに対応した再生部分を放音装置１３０へ供給する（Ｓ2）。ステップＳ1およびステップＳ2は、楽曲を通常再生（所期の再生速度での再生）させる処理である。振動制御部６４は、ステップＳ2で再生制御部６２が放音装置１３０に供給した再生部分から振動信号を生成する（Ｓ3）。再生制御部６２は、操作情報を受信した場合（Ｓ4;ＹＥＳ）、操作情報に応じた方向（ＸAまたはＹB）および移動量Ｅで再生点Ｐを音信号の時間軸上で移動させる（Ｓ5）。ステップＳ5の処理が終わると、ステップＳ2からステップＳ4までの処理が繰り返される、つまり操作部２３０に対する操作に応じて楽曲の再生がされる。再生制御部６２は、操作情報を受信しない場合（Ｓ4;ＮＯ）、ステップＳ1からステップＳ3までの処理が繰り返される、つまり楽曲の通常再生が引き続き実行される。なお、図６の処理は、利用者からの楽曲再生の指示を受けた場合、または、楽曲の末尾まで再生が終了した場合に終了する。
【００３２】
＜第２実施形態＞
本発明の第２実施形態を説明する。以下に例示する各態様において作用や機能が第１実施形態と同様である要素については、第１実施形態の説明で使用した符号を流用して各々の詳細な説明を適宜に省略する。
【００３３】
第１実施形態の操作部２３０は筐体２１０に支持された円盤であるのに対して、第２実施形態では、楽曲の音信号が記録されたレコードＶ（つまりアナログレコード）が操作部２３０として利用される。第１実施形態の再生制御部６２は、記憶装置１１０に記憶された音信号を放音装置１３０に供給するのに対して、第２実施形態の再生制御部６２は、レコードＶに記録された音信号を放音装置１３０に供給する。
【００３４】
第２実施形態の再生システム１は、第１実施形態と同様に、制御システム１０と操作装置２０と振動装置３０とを具備する。図７は、第２実施形態に係る操作装置２０の構成図であり、図８は、図７におけるＶIII−ＶIII線の断面図である。第２実施形態の操作装置２０は、筐体２１０とレコードＶ（操作部２３０）と通信装置２７０と載置部２８０と検出装置２９０とを具備する。筐体２１０は、第１実施形態と同様に、例えば直方体に形成された中空の構造体である。載置部２８０と検出装置２９０とは、筐体２１０の上面に設置され、通信装置２７０は、筐体２１０に収容される。具体的には、載置部２８０は、レコードＶを回転させる円盤であり、筐体２１０に支持される。レコードＶは、載置部２８０に載せられる。例えばモータ等の駆動装置（図示略）により回転するプラッターが載置部２８０として採用される。載置部２８０の表面の中心には、図８に例示される通り、レコードＶの中心穴３３に挿入される凸状の係合部８１が設置される。レコードＶは、中心穴３３に係合部８１が挿入するように、載置部２８０の表面に載せられる。
【００３５】
第２実施形態のレコードＶには、前述の通り、楽曲の音信号が記録される。具体的には、レコードＶの表面には、音信号を表した溝部（図示略）が形成される。溝部は、例えばレコードＶの内周から外周にむかって右回りの渦巻状に形成される。溝部の内面は、音信号の波形に応じた形状に形成される。溝部が表す音信号は、レコードＶの外周から内周にむかって時間軸上で後方に進行する。つまり、溝部のうちレコードＶの外周側に位置する部分は楽曲の先頭部分に対応し、溝部のうちレコードＶの内周側に位置する部分は楽曲の末尾部分に対応する。
【００３６】
図７の検出装置２９０は、レコードＶに記録された音信号を検出する検出機器であり、検出部９１と支持部９３とを具備する。検出部９１は、音信号のうち再生部分をレコードＶから検出する検出子であり、例えばレコード針と、レコード針の振動を電気信号に変換する電気回路（図示略）とを含んで構成される。検出部９１による再生部分の検出の詳細については、後述する。支持部９３は、検出部９１を支持するための腕状の部材であり、例えばトーンアームである。支持部９３の一方の端部は、筐体２１０の表面に支持され、他方の端部は検出部９１を支持する。支持部９３は、筐体２１０に支持されている端部を中心に、筐体２１０に対して水平方向および垂直方向に動く。利用者は、支持部９３を動かすことで検出部９１の先端をレコードＶの表面に形成された溝部の任意の地点に接触させる。利用者は、載置部２８０に載せられたレコードＶの溝部のうち任意の部分に検出部９１の先端を接触させた状態で、入力装置１５０に対して楽曲再生の指示の操作を行う。
【００３７】
載置部２８０は、楽曲再生の指示を入力装置１５０が受け付けると、一定の速度で右回りに回転を開始する。載置部２８０に載せられたレコードＶも載置部２８０の回転とともに回転する。レコードＶの回転速度および回転方向は、利用者からのレコードＶに対する操作に応じて変化し、操作装置２０に対する操作がない場合は一定（つまり載置部２８０の回転速度に対応した速度および回転方向）である。
【００３８】
レコードＶの溝部に接触した状態の検出部９１は、レコードＶの回転とともに、溝部に沿って移動する。第２実施形態では、レコードＶに記録された音信号のうち検出部９１の接触位置に対応した時点が「再生点Ｐ」である。検出部９１は、音信号のうち再生点Ｐに対応する再生部分を検出する。なお、検出部９１が検出した再生部分をアナログからデジタルに変換するＡ/Ｄ変換器の図示は便宜的に省略した。
【００３９】
レコードＶに対する操作がない場合、再生点Ｐは、載置部２８０の回転に応じて連続的に時間軸上の後方に進行する。他方、レコードＶに対する操作があると、再生点Ｐは、当該操作に応じて移動する。なお、レコードＶに対する操作がない場合は、楽曲が通常に再生される。
【００４０】
第２実施形態のレコードＶは、再生点Ｐを変化させるために利用者が接触した状態で操作する操作部２３０として利用される。第２実施形態のレコードＶは、第１実施形態の操作部２３０と同様に、利用者の操作に応じて右回りと左回りの双方向に回転する。利用者は、手のひらをレコードＶの表面に接触させた状態で任意の方向および速度で回転させることで、溝部に対する検出部９１の接触位置（つまり再生点Ｐ）を変化させる。再生点Ｐに連動して再生部分も変化する。レコードＶと載置部２８０の間には両者間の摩擦を低減するためのスリップマット（図示略）が載せられている。したがって、レコードＶに対する操作が発生しても、載置部２８０は一定の速度で右回りに回転し続ける。
【００４１】
レコードＶの回転方向は、第１実施形態と同様に、音信号の時間軸上における再生点Ｐの移動方向に対応する。具体的には、右回りＸBにレコードＶを回転させる動作は、再生点Ｐを時間軸上で後方ＸAに移動させる操作に対応し、左回りＹBにレコードＶを回転させる動作は、再生点Ｐを時間軸上で前方ＹAに移動させる操作に対応する。
【００４２】
レコードＶの回転速度は、検出部９１の接触位置（つまり再生点Ｐ）が移動する速度に対応する。レコードＶを載置部２８０の回転速度よりも早く右回りＸBに回転させた場合は、通常よりも早い速度で再生（早送り）させる状態に対応し、レコードＶを載置部２８０の回転速度よりも遅く右回りＸBに回転させた場合は、通常よりも遅い速度で再生（遅送り）させる状態に対応する。なお、レコードＶは、利用者によるレコードＶに対する操作が終了すると、再び載置部２８０の回転に応じて回転する、つまり通常再生させる状態に戻る。
【００４３】
図８の通信装置２７０は、レコードＶに記録された音信号のうち再生部分を制御システム１０に送信する。図１の制御システム１０の通信装置１２０は、操作装置２０が送信した再生部分を受信する。第２実施形態の再生制御部６２は、音信号のうち検出部９１が検出した再生部分が表す音を放音装置１３０に再生させる。具体的には、再生制御部６２は、音信号のうち通信装置１２０から供給された再生部分を放音装置１３０に供給する。なお、第２実施形態の再生制御部６２は、実際には、増幅処理またはイコライジング等の音響処理を再生部分に対して行ってから放音装置１３０に供給する。放音装置１３０は、第１実施形態と同様に、音信号のうち再生制御部６２から供給された再生部分が表す音を放音する。
【００４４】
第２実施形態の振動制御部６４は、音信号のうち検出部９１が検出した再生部分に応じて振動信号を生成する。具体的には、振動制御部６４は、第１実施形態と同様に、音信号のうち再生制御部６２が放音装置１３０に供給する再生部分を振動信号として生成する。通信装置１２０は、第１実施形態と同様に、振動制御部６４が生成した振動信号を振動装置３０に送信する。
【００４５】
図５の振動装置３０は、第１実施形態と同様に、楽曲のうち再生点Ｐに対応する音に応じて振動する機器であり、筐体３１０と通信装置３３０と振動付与部３５０とを具備する。ただし、第２実施形態の筐体３１０は、図８に例示される通り、載置部２８０に形成された凸状の係合部８１に係合する凹部３７０を底面に具備する。第２実施形態の振動装置３０は、図８に例示される通り、筐体３１０に形成された凹部３７０が載置部２８０の係合部８１に対して着脱可能に係合する。具体的には、振動装置３０は、レコードＶの中心穴３３に挿入された係合部８１に筐体３１０の凹部３７０を係合させた状態で、レコードＶの表面に載せられる。すなわち、レコードＶは載置部２８０の上面と筐体３１０の底面との間に挟まれる。
【００４６】
通信装置３３０は、第１実施形態と同様に、制御システム１０が送信した振動信号を受信する。振動付与部３５０は、第１実施形態と同様に、振動信号（つまり再生部分）に応じてレコードＶ（操作部２３０）を振動させる。したがって、レコードＶを接触した状態で操作する利用者は、第１実施形態と同様に、放音装置１３０に供給される再生部分に応じた振動を感じることができる。
【００４７】
図９は、第２実施形態における再生制御部６２の制御装置１６０のフローチャートである。利用者からの楽曲再生の指示を契機として図９の処理が開始される。再生制御部６２は、音信号のうち操作装置２０が生成した再生部分を放音装置１３０に供給する、つまり音信号のうち再生部分が表す音を放音装置１３０に再生させる（Ｓ2）。なお、操作装置２０は、載置部２８０の回転、または、レコードＶに対する操作に応じて再生部分を生成する。振動制御部６４は、ステップＳ2で再生制御部６２が放音装置１３０に供給した再生部分から振動信号を生成する（Ｓ3）。ステップＳ3の処理が終わると、ステップＳ2の処理が繰り返される。なお、図９の処理は、利用者からの楽曲再生の終了の指示を受けた場合、または、楽曲の末尾まで再生が終了した場合に終了する。
【００４８】
第２実施形態においても第１実施形態と同様の効果が実現される。第２実施形態では特に、操作部２３０としてのレコードＶが載置された状態で載置部２８０が回転するので、レコードＶを扱うＤＪプレイのスタイルを維持できる。また、第２実施形態では、載置部２８０の表面の中心に形成されレコードＶの中心穴３３に挿入される凸状の係合部８１に、振動付与部３５０を収容する筐体３１０が係合する。したがって、レコードＶの中心穴３３に挿入される凸状の係合部８１を振動付与部３５０（筐体３１０）の装着に利用することができ、また、載置部２８０への振動付与部３５０の装着が容易である。
【００４９】
＜第３実施形態＞
第２実施形態の操作部２３０は、楽曲の音信号が記録されたレコードＶであるのに対して、第３実施形態の操作部２３０は、時間データの時系列を表す信号（以下「時間信号」という）が記録されたレコードＶ（つまりタイムコードレコード）である。時間データとは、時間軸上の各時点の時刻を示す情報であり、音信号の時間軸上の各時点に対応する。レコードＶに記録される時間信号は、楽曲に固有ではなく、複数の楽曲において共通である。なお、時間データは、時間軸上の各時点の時刻を示す情報に限定されず、音信号の時間軸上の各時点を特定できる情報（例えば時間軸上の各時点に付与された連番）であれば任意である。第２実施形態の再生制御部６２は、レコードＶに記録された音信号を放音装置１３０に供給するのに対して、第３実施形態では、第１実施形態と同様に、記憶装置１１０に記憶された音信号を放音装置１３０に供給する。
【００５０】
第３実施形態の再生システム１は、第２実施形態と同様に、制御システム１０と操作装置２０と振動装置３０とを具備する。第３実施形態の操作装置２０は、第２実施形態と同様に、筐体２１０とレコードＶと通信装置２７０と載置部２８０と検出装置２９０とを具備する。第３実施形態のレコードＶは、第２実施形態と同様に、中心穴３３に係合部８１が挿入するように載置部２８０の表面に載せられる。
【００５１】
第３実施形態のレコードＶの表面には、時間信号を表した溝部（図示略）が形成される。溝部は、第２実施形態と同様に、例えばレコードＶの内周から外周にむかって右回りの渦巻状に形成される。第３実施形態の溝部の内面は、時間信号が表す時間データに応じた形状に形成される。溝部が表す時間信号は、レコードＶの外周から内周にむかって時間軸上で後方に進行する。つまり、溝部のうちレコードＶの外周側に位置する部分が示す時間データは時間的に前方であり、溝部のうちレコードＶの内周側に位置する部分が示す時間データは時間的に後方である。
【００５２】
第３実施形態の検出装置２９０は、レコードＶに記録された時間信号を検出する検出機器であり、第２実施形態と同様に、検出部９１と支持部９３とを具備する。第３実施形態の検出部９１は、時間信号のうち再生点Ｐを示す時間データを検出する検出子であり、第２実施形態と同様に、例えばレコード針と、レコード針の振動を電気信号に変換する電気回路（図示略）とを含んで構成される。
【００５３】
第３実施形態の載置部２８０は、第２実施形態と同様に、楽曲再生の指示を入力装置１５０が受け付けると、一定の速度で右回りに回転を開始する。載置部２８０に載せられたレコードＶも載置部２８０の回転とともに回転する。レコードＶの回転速度および回転方向は、利用者からのレコードＶに対する操作に応じて変化し、操作装置２０に対する操作がない場合は一定（つまり載置部２８０の回転速度に対応した速度および回転方向）である。
【００５４】
レコードＶの溝部に接触した状態の検出部９１は、レコードＶの回転とともに、溝部に沿って移動する。第３実施形態の検出部９１は、前述の通り、時間信号のうち再生点Ｐを示す時間データを検出する。
【００５５】
レコードＶに対する操作がない場合、検出部９１が検出する時間データ（つまり再生点Ｐ）は、載置部２８０の回転に応じて連続的に時間軸上の後方に進行する。他方、レコードＶに対する操作があると、検出部９１が検出する時間データは、当該操作に応じて時間信号の時間軸上で移動する。
【００５６】
第３実施形態のレコードＶは、第２実施形態と同様に、再生点Ｐを変化させるために利用者が接触した状態で操作する操作部として利用される。利用者は、第２実施形態と同様に、レコードＶを操作することで、溝部に対する検出部９１の接触位置（つまり検出部９１が検出する時間データ）を変化させる。
【００５７】
第３実施形態の通信装置２７０は、レコードＶに記録された時間信号のうち検出部９１が検出した時間データを制御システム１０に送信する。制御システム１０の通信装置１２０は、操作装置２０が送信した時間データを受信する。第３実施形態の再生制御部６２は、記憶装置１１０に記憶された音信号のうち、検出部９１が検出した時間データが示す再生点Ｐに対応する再生部分が表す音を放音装置１３０に再生させる。具体的には、再生制御部６２は、音信号の時間軸上で通信装置１２０が受信した時間データが示す再生点Ｐの再生部分を放音装置１３０に供給する。放音装置１３０は、第２実施形態と同様に、音信号のうち再生制御部６２から供給された再生部分が表す音を放音する。
【００５８】
第３実施形態の振動制御部６４は、検出部９１が検出した時間データが示す再生点Ｐに対応する再生部分に応じて振動信号を生成する。具体的には、振動制御部６４は、第２実施形態と同様に、音信号のうち再生制御部６２が放音装置１３０に供給する再生部分を振動信号として生成する。通信装置１２０は、第１実施形態と同様に、振動制御部６４が生成した振動信号を振動装置３０に送信する。
【００５９】
振動装置３０は、第２実施形態と同様に、楽曲のうち再生点Ｐに対応する音に応じて振動する機器であり、筐体３１０と通信装置３３０と振動付与部３５０とを具備する。第３実施形態の振動装置３０は、第２実施形態と同様に、筐体３１０に形成された凹部３７０が載置部２８０の係合部８１に対して着脱可能に係合する状態で、レコードＶの表面に載せられる。
【００６０】
第３実施形態の通信装置３３０は、第２実施形態と同様に、制御システム１０が送信した振動信号を受信する。第３実施形態の振動付与部３５０は、第２実施形態と同様に、振動信号（つまり再生部分）に応じてレコードＶ（操作部）を振動させる。したがって、レコードＶを接触した状態で操作する利用者は、第２実施形態と同様に、放音装置１３０に供給される再生部分に応じた振動を感じることができる。
【００６１】
第３実施形態における再生制御部６２の制御装置１６０の処理の説明をする。利用者からの楽曲再生の指示を契機として図９の処理が開始される。再生制御部６２は、音信号のうち、操作装置２０が検出した時間データが示す再生点Ｐの再生部分を放音装置１３０に供給する、つまり音信号のうち再生部分が表す音を放音装置１３０に再生させる（Ｓ2）。なお、操作装置２０は、載置部２８０の回転、または、レコードＶに対する操作に応じて時間データを検出する。振動制御部６４は、第２実施形態と同様に、ステップＳ2で再生制御部６２が放音装置１３０に供給した再生部分から振動信号を生成する（Ｓ3）。ステップＳ3の処理が終わると、ステップＳ2の処理が繰り返される。なお、図９の処理は、利用者からの楽曲再生の終了の指示を受けた場合、または、楽曲の末尾まで再生が終了した場合に終了する。
【００６２】
第３実施形態においても第２実施形態と同様の効果が実現される。第３実施形態では特に、レコードＶに記録された時間データの時系列を利用して、レコードＶを振動させることが可能である。一方で、レコードＶに記録された音信号のうち検出部９１が検出した再生部分に応じてレコードＶが振動する第２実施形態の態様によれば、レコードＶに記録された音信号を利用して、操作部を振動させることが可能である。
【００６３】
＜第４実施形態＞
第１実施形態の振動制御部６４は、音信号のうち再生制御部６２が放音装置１３０に供給する再生部分を振動信号として生成した。それに対して、第４実施形態の振動制御部６４は、音信号のうち再生制御部６２が放音装置１３０に供給する再生部分の信号強度を調整した振動信号を生成する。
【００６４】
第４実施形態の再生制御部６２は、第１実施形態と同様に、音信号のうち再生部分を放音装置１３０に供給する。第４実施形態の振動制御部６４は、再生部分の信号強度が所定の閾値を上回る場合に、再生部分の信号強度を調整する。具体的には、振動制御部６４は、再生部分において信号強度が閾値を上回る部分を圧縮した振動信号を生成する。再生部分の圧縮には、コンプレッサ処理等の音響処理が任意に採用される。なお、振動制御部６４は、再生部分の信号強度が閾値を下回る場合は、再生部分を振動信号として生成する。所定の閾値は、例えば利用者が十分に振動を知覚できるが、振動装置３０の振動が過度に大きくならない所定値に設定される。例えば利用者からの指示に応じて閾値を変更してもよい。
【００６５】
第４実施形態の通信装置１２０は、第１実施形態と同様に、振動制御部６４が生成した振動信号を振動装置３０に送信する。振動装置３０（振動付与部３５０）は、第１実施形態と同様に、制御システム１０から送信された振動信号に応じて（つまり再生部分に応じて）操作部２３０を振動させる。
【００６６】
第４実施形態においても第１実施形態と同様の効果が実現される。ここで、放音装置１３０から放音される音の音量を増加させる場合、再生制御部６２が放音装置１３０に供給する再生部分の信号強度を高くして（つまり振幅を大きくして）放音装置１３０に供給する。したがって、第１実施形態の構成では、振動制御部６４が生成する振動信号の信号強度も高くなる。しかし、振動信号の信号強度を高くしすぎると、操作部２３０の振動が過度に大きくなるといった問題がある。それに対して第４実施形態では、再生部分において信号強度が閾値を上回る部分を圧縮した振動信号が生成されるので、放音装置１３０から放音される音の音量を大きくした場合でも、操作部２３０の振動が過度に大きくなることを低減できる。ただし、音信号のうち再生部分を振動信号として生成する第１実施形態の構成によれば、振動信号を生成するための特別な信号処理が不要である。したがって、振動信号を生成するための処理が簡素化される。また、放音装置１３０が再生する音を操作部２３０の振動がより適切に表すことができる。なお、第４実施形態は、第２実施形態および第３実施形態に適用してもよい。
【００６７】
＜第５実施形態＞
第１実施形態の再生システム１では、基本的には、音信号のうち再生部分が表す音は放音装置１３０から聞こえる。しかし、第１実施形態では、放音装置１３０に供給する再生部分を振動信号として振動装置３０も供給しているため、振動装置３０からも再生部分が表す音が聞こえる。そこで、第５実施形態では、振動装置３０から音を聞こえ難くする。
【００６８】
第５実施形態の再生制御部６２は、第１実施形態と同様に、音信号のうち再生部分を放音装置１３０に供給する。振動制御部６４は、音信号のうち再生制御部６２が放音装置１３０に供給する再生部分から振動信号を生成する。第５実施形態の振動制御部６４は、音信号（再生部分）の周波数特性を調整した振動信号を生成する。具体的には、振動制御部６４は、再生部分において高域側の周波数成分を抑制した振動信号を生成する。高域側の周波数成分の抑制には、再生部分のうち遮断周波数を下回る帯域成分を選択する低域通過フィルタが利用される。
【００６９】
第５実施形態の通信装置１２０は、第１実施形態と同様に、振動制御部６４が生成した振動信号を振動装置３０に送信する。振動装置３０（振動付与部３５０）は、第１実施形態と同様に、制御システム１０から送信された振動信号に応じて（つまり再生部分に応じて）操作部２３０を振動させる。
【００７０】
第５実施形態においても第１実施形態と同様の効果が実現される。第５実施形態では特に、再生部分において高域側の周波数成分を抑制した振動信号が生成される。したがって、振動信号が供給される振動装置３０から高域成分の音は聞こえ難くなる。なお、第５実施形態は、第２実施形態および第３実施形態に適用してもよい。
【００７１】
＜第６実施形態＞
第１実施形態から第５実施形態では、振動装置３０を操作部２３０に載置した構成を例示した。第６実施形態から第８実施形態においては、振動装置３０（振動付与部）が操作装置２０に搭載される。制御システム１０の構成は第１実施形態から第５実施形態と同様である。
【００７２】
図１０は、第６実施形態における操作装置２０の構成を示す断面図である。図１０に例示される通り、第６実施形態の操作装置２０は、筐体２１０と操作部２３０と駆動機構５０Aと振動付与部６０Aとを具備する。筐体２１０は、操作部２３０を支持する中空の構造体であり、駆動機構５０Aと振動付与部６０Aとを収容する。
【００７３】
駆動機構５０Aは、操作部２３０を一定の角速度で回転させる。振動付与部６０Aは、操作部２３０を振動させる。第６実施形態の振動制御部６４は、音信号のうち再生点Ｐに対応した再生部分に応じた振動信号を振動付与部６０Aに出力する。振動付与部６０Aは、振動制御部６４から供給される振動信号に応じて操作部２３０を振動させる。
【００７４】
図１０に例示される通り、第６実施形態の駆動機構５０Aは、配線基板５１１と永久磁石５１２とコイル５１３と回転軸５１４とを具備する。回転軸５１４は、操作部２３０の裏面から垂直に突起する。配線基板５１１は、表面に配線パターンが形成された基板である。配線基板５１１の表面にコイル５１３が設置される。永久磁石５１２は、操作部２３０の裏面に固定された円環状の磁性体である。配線基板５１１を介して供給される電流によりコイル５１３に発生した磁界と、永久磁石５１２の磁界との相互的な作用により回転軸５１４が回転する。なお、配線基板５１１には、操作部２３０の回転を検出する検出器（図示略）が設置される。検出器（ピックアップ）は、例えばロータリーエンコーダである。
【００７５】
第６実施形態の振動付与部６０Aはソレノイドである。振動制御部６４から出力された振動信号は振動付与部６０Aに供給される。振動付与部６０Aは、振動制御部６４から供給される振動信号に応じて回転軸５１４を軸方向に振動させる。すなわち、振動付与部６０Aは、振動信号に応じて操作部２３０を振動させる。なお、回転軸５１４と筐体２１０の底部との間には、回転軸５１４の衝突による衝撃を緩和する緩衝体（クッション）２１１が設置される。
【００７６】
＜第７実施形態＞
図１１は、第７実施形態における操作装置２０の構成を示す断面図である。図１１に例示される通り、第７実施形態の操作装置２０は、筐体２１０と操作部２３０と駆動機構５０Bと振動付与部６０Bとを具備する。筐体２１０は、操作部２３０を支持する。駆動機構５０Bおよび振動付与部６０Bは筐体２１０に収容される。
【００７７】
第７実施形態の駆動機構５０Bは、回転体５２１とプーリー５２２とモータ５２３と無端ベルト５２４と玉軸受５２５と回転軸５２６とを具備する。モータ５２３はプーリー５２２を回転させる。回転体５２１は、操作部２３０の裏面に固定された円筒状の構造体である。回転体５２１の内周面に玉軸受５２５の外周面が接合される。玉軸受５２５の内周面は回転軸５２６の外周面に接合される。すなわち、回転体５２１は玉軸受５２５を介して回転軸５２６に軸支される。無端ベルト５２４は、回転体５２１とプーリー５２２とにわたり架設される。以上の構成により、回転体５２１はプーリー５２２に連動して一定の角速度で回転する。
【００７８】
第７実施形態の振動付与部６０Bは、永久磁石６２１と基礎部６２２と振動部６２３とコイル６２４とを具備する。基礎部６２２は、永久磁石６２１の周囲に設置された側壁状の構造体である。振動部６２３は、回転軸５２６を支持する。図１２は、基礎部６２２および振動部６２３の平面図である。図１２に例示される通り、振動部６２３は、支持板６２３aと複数（図１２の例示では４個）の弾性体６２３bとが一体に形成された平面形状の板状部材である。各弾性体６２３bは、弾性変形が可能な板バネである。各弾性体６２３bの一端は基礎部６２２の上面に固定され、他端が支持板６２３aに連続する。支持板６２３aの表面に回転軸５２６が固定される。
【００７９】
コイル６２４は、支持板６２３aのうち回転軸５２６とは反対側の表面に固定される。永久磁石６２１と基礎部６２２との間にコイル６２４が設置される。振動制御部６４から出力された振動信号はコイル６２４に供給される。振動信号の供給によりコイル６２４に発生する磁界と永久磁石６２１の磁界との相互的な作用により、回転軸５２６は軸方向に振動する。すなわち、振動付与部６０Bは、振動信号に応じて操作部２３０を振動させる。
【００８０】
＜第８実施形態＞
図１３は、第８実施形態における操作装置２０の構成を示す断面図である。図１３に例示される通り、第８実施形態の操作装置２０は、筐体２１０と操作部２３０と駆動機構５０Cと振動付与部６０Cとを具備する。筐体２１０は、操作部２３０を支持する。駆動機構５０Cおよび振動付与部６０Cは筐体２１０に収容される。
【００８１】
第８実施形態の駆動機構５０Cは、回転体５３１とプーリー５３２とモータ５３３と無端ベルト５３４と回転軸５３５とを具備する。モータ５３３はプーリー５３２を回転させる。回転体５３１は、操作部２３０の裏面に固定された円柱状の構造体である。回転軸５３５は、回転体５３１のうち操作部２３０とは反対側の表面から垂直に突起する。無端ベルト５３４は、回転体５３１とプーリー５３２とにわたり架設される。以上の構成により、回転体５３１はプーリー５３２に連動して一定の角速度で回転する。なお、回転軸５３５と筐体２１０の底部との間には、回転軸５３５の衝突による衝撃を緩和する緩衝体（クッション）２１１が設置される。
【００８２】
第８実施形態の振動付与部６０Cは、筐体２１０の底部と回転体５３１との間に設置された振動アクチュエータである。例えば圧電アクチュエータまたは電磁アクチュエータが振動付与部６０Cとして利用される。振動制御部６４から出力された振動信号は振動付与部６０Cに供給される。振動付与部６０Cは振動信号に応じて伸縮する。したがって、振動付与部６０Cは、振動信号に応じて操作部２３０を振動させる。
【００８３】
＜第９実施形態＞
図１４は、第９実施形態における操作部２３０の平面図である。第９実施形態の操作部２３０は、遮光部２３１と透光部２３２とを含んで構成される。遮光部２３１は、遮光性の材料で形成された円盤状の部分である。透光部２３２は、遮光部２３１を包囲する円環状の部分である。透光部２３２は、光透過性の材料で形成された散乱板である。
【００８４】
図１４に例示される通り、操作部２３０の周縁に沿って発光部２３３が配置される。発光部２３３は複数の発光素子２３４で構成される。例えば発光量および発光色が可変である発光ダイオードが、発光素子２３４として好適に利用される。複数の発光素子２３４は、操作部２３０のうち透光部２３２に対向する。したがって、利用者は、各発光素子２３４から出射して透光部２３２を透過した光を視認する。
【００８５】
第９実施形態の制御装置１６０は、放音装置１３０が再生する音に応じて発光部２３３を発光させる。具体的には、放音装置１３０による再生音の音響特性に応じて各発光素子２３４の発光量と発光色とが制御される。例えば、制御装置１６０は、放音装置１３０による再生音の音量に応じて発光量および発光色を制御する。発光量の制御には、発光および消灯の一方から他方への制御も包含される。例えば、再生音の音量が大きいほど多数の発光素子２３４が発光する。以上の構成によれば、利用者は、放音装置１３０による再生音を、聴覚および触覚だけでなく視覚でも知覚できるという利点がある。
【００８６】
なお、発光部２３３による発光の態様は任意であり、以上の例示には限定されない。具体的には、放音装置１３０による再生音の音量がゼロに低下した場合に、複数の発光素子２３４を、操作部２３０の円周に沿った配列の順番で順次に発光させてもよい。すなわち、発光部２３３における発光位置が操作部２３０の円周方向に移動する。検出部９１を具備する構成では、当該検出部９１の位置から操作部２３０の円周方向に発光位置を移動させることで、恰も検出部９１から音が放たれているような視覚的な演出を実現できる。
【００８７】
なお、図１４においては、操作部２３０の透光部２３２に対向するように発光部２３３を設置したが、操作部２３０と発光部２３３との位置関係は以上の例示に限定されない。例えば、図１５に例示される通り、操作部２３０に対応する円形状の開口部２１２が筐体２１０に形成された構成では、開口部２１２の内周縁に光透過性の透光部２１３を設置してもよい。複数の発光素子２３４で構成される発光部２３３は、筐体２１０の透光部２１３に対向するように設置される。図１４および図１５の何れの構成も、操作部２３０の周縁に沿って発光部が配置された構成である。
【００８８】
＜変形例＞
以上に例示した各態様は多様に変形される。具体的な変形の態様を以下に例示する。以下の例示から任意に選択された２個以上の態様を、相互に矛盾しない範囲で適宜に併合してもよい。
【００８９】
（１）第４実施形態では、再生部分において信号強度が閾値を上回る部分を圧縮した振動信号を生成する構成を例示したが、再生部分の信号強度を調整する処理は以上の例示に限定されない。例えば複数の信号強度のうちの１つの信号強度に再生部分を調整した振動信号を生成してもよい。具体的には、振動制御部６４は、図１６に例示される通り、離散的に設定された複数のレベルのうち再生部分の信号強度に近いレベルとなる振動信号を生成する。すなわち、音信号を量子化することで振動信号が生成される。以上の構成によれば、複数の離散的なレベルのうち再生部分の信号強度に近いレベルとなる振動信号が生成される。
【００９０】
（２）第５実施形態では、再生部分において高域側の周波数成分を抑制した振動信号を生成する構成を例示したが、再生部分の周波数特性を調整する処理は以上の例示に限定されない。例えば、再生部分において低域側の周波数成分を抑制した振動信号を生成してもよい。低域側の周波数成分の抑制には、再生部分のうち遮断周波数を上回る帯域成分を選択する高域通過フィルタが利用される。以上の構成によれば、振動装置３０から低域成分の音が聞こえ難くなる。
【００９１】
（３）第１実施形態では、利用者の操作に応じて回転する円盤を操作部２３０として例示したが、操作部２３０において回転する構成は必須ではない。例えば、直線的に移動（例えば上下または左右に移動）する操作部２３０を採用してもよい。また、操作部２３０の移動は必須ではない。例えば操作部２３０の表面で利用者の動作を検知するセンサーが内蔵されている操作子を操作部２３０としてもよい。以上の構成では、例えばセンサーが内蔵されている円盤、または、表示装置と一体に構成されたタッチパネルが操作部２３０として好適に採用される。ただし、利用者の操作に応じて回転する操作部２３０によれば、利用者は回転させる動作により再生点Ｐを変化させることができる。ひいては、従前から普及している自然なＤＪプレイのスタイルを維持できる。
【００９２】
（４）前述の各形態では、振動付与部３５０（振動装置３０）は操作部２３０の表面に載せられていたが、操作部２３０が振動すれば振動付与部３５０を搭載する場所は任意である。例えば、操作装置２０の筐体２１０の表面に振動付与部３５０を載せてもよいし、操作装置２０の筐体２１０に振動付与部３５０を収容してもよい。ただし、操作部２３０の表面に操作付与部を載せる前述の各形態によれば、操作部２３０へ振動が伝わりやすいという利点がある。
【００９３】
（５）前述の各形態では、振動付与部３５０と通信装置３３０とは筐体３１０に収容されていたが、振動装置３０において筐体３１０は必須ではない。例えば、第１実施形態では、操作部２３０の内部に振動付与部３５０と通信装置３３０とを搭載する構成も好適に採用され、第２実施形態と第３実施形態とでは、載置部２８０の内部に振動付与部３５０と通信装置３３０とを搭載してもよい。つまり、操作付与部と通信装置３３０とを操作装置２０と一体にしてもよい。以上の構成によれば、振動付与部３５０を収容する筐体３１０は必須ではない。操作付与部と通信装置３３０とを操作装置２０と一体にする構成によれば、再生システム１が簡素化できるという利点がある。なお、操作付与部を操作装置２０と一体にする構成においては、振動装置３０は操作装置２０の通信装置２７０を利用することもできるので、振動装置３０から通信装置３３０は省略されてもよい。
【００９４】
（６）前述の各形態では、制御システム１０と操作装置２０とを相互に別体の装置とする構成を例示したが、制御システム１０を操作装置２０と一体としてもよい。例えば、スマートフォンまたはタブレット端末等の可搬型の端末装置に制御システム１０と操作装置２０とを搭載してもよい。以上の構成では、例えば表示装置に対する接触を検知するタッチパネルが操作部２３０として好適に採用され、表示装置の表面に振動装置３０が載せられる。また、前述の可搬型の端末装置に内蔵されたバイブレータを振動装置３０として利用することで、制御システム１０と操作装置２０と振動装置３０とを一体としてもよい。
【００９５】
（７）第１実施形態において、操作部２３０の表面に係合部を形成してもよい。係合部の具体的な形態は任意である。例えば、操作部２３０の表面に（例えば表面の中心に）凸状または凹状の係合部が形成される。振動装置３０の筐体３１０の底面に操作部２３０の係合部と係合する凸部または凹部を形成し、筐体３１０に操作部２３０の係合部を係合させる。操作部２３０の表面に係合部を形成する以上の構成では、操作部２３０への振動付与部３５０（振動装置３０）の装着が容易である。筐体３１０と操作部２３０の係合部とを係合させる場合、振動装置３０を操作部２３０に対して着脱可能にしてもよい。
【００９６】
（８）第２実施形態および第３実施形態では、レコードＶの中心穴３３に挿入され載置部２８０の表面の中心に形成された係合部８１と、振動付与部３５０を収容する筐体３１０とが係合する状態で振動装置３０（振動付与部３５０）を操作部２３０の表面に載せる構成を例示したが、振動付与部３５０を操作部２３０の表面に載せる態様は以上の例示に限定されない。例えば、振動付与部３５０がレコードＶの中心穴３３に挿入される係合部８１に係合しない状態で操作部２３０の表面に載せてもよい。
【００９７】
（９）前述の各形態では、楽曲の再生の開始とともに振動装置３０も振動を開始する構成を例示したが、振動装置３０の振動を利用者からの入力装置１５０への指示に応じてオン／オフしてもよい。振動装置３０の振動をオン／オフする指示は、楽曲再生の開始前だけでなく、楽曲の再生途中でも行うことができる。また、操作部２３０に対する操作がある場合にのみ、振動装置３０を振動させてもよい。また、楽曲の発音を利用者からの入力装置１５０への指示に応じてオン／オフ（消音）してもよい。楽曲の発音がオフされた場合、楽曲の発音はないが、振動装置３０は再生部分に応じて振動している状態である。
【００９８】
（１０）第４実施形態の振動制御部６４は、音信号のうち放音装置１３０に供給される再生部分の信号強度を調整して振動信号を生成したが、予め信号強度が調整された音信号（例えば時間軸上の全ての時点において信号強度が閾値を下回る音信号）から振動信号を生成してもよい。具体的には、振動制御部６４は、予め信号強度が調整された音信号の時間軸上における再生点Ｐに応じた振動信号を生成する。なお、記憶装置１１０には、信号強度が調整された音信号と信号強度が調整されていない音信号とが記憶される。再生制御部６２は、信号強度が調整されていない音信号の再生部分を放音装置１３０に供給する。以上の構成では、楽曲の再生時における再生部分の信号強度の調整が不要になるので、制御システム１０の処理の負荷が低減される。第５実施形態でも同様に、周波数特性が調整された音信号から振動信号を生成することが可能である。
【００９９】
（１１）前述の各形態では、円柱状の筐体３１０と通信装置３３０と振動付与部３５０とから構成される振動装置３０を例示したが、振動装置３０の具体的な形態は任意である。例えば被験者の手に装着可能な手装着型（例えば指サック型または手袋型）等の任意の形態の振動装置３０を採用してもよい。また、円盤状の筐体３１０と通信装置３３０と振動付与部３５０とから構成される振動装置３０（例えばスリップマットに通信装置３３０と振動付与部３５０とを内蔵する構成）を採用してもよい。以上の構成では、例えばレコードＶを操作部２３０とする第２実施形態と第３実施形態とでは、振動装置３０をレコードＶと載置部２８０の間に搭載してもよい。
【０１００】
（１２）前述の各形態では、再生制御部６２は、音信号のうち再生部分を放音装置１３０に供給したが、再生部分においてコンプレッサ処理等の音響処理をして放音装置１３０に供給してもよい。以上の構成では、振動制御部６４は、再生制御部６２が放音装置１３０に供給する再生部分に応じて振動信号を生成する。ただし、再生制御部６２が音響処理をする前の再生部分に応じて振動信号を生成してもよい。
【０１０１】
（１３）前述の各形態で例示した制御システム１０は、前述の通り制御装置１６０とプログラムとの協働により好適に実現される。このプログラムは、コンピュータが読取可能な記録媒体に格納された形態で提供されてコンピュータにインストールされる。記録媒体は、例えば非一過性（non-transitory）の記録媒体であり、ＣＤ-ＲＯＭ等の光学式記録媒体（光ディスク）が好例であるが、半導体記録媒体やまたは磁気記録媒体等の公知の任意の形式の記録媒体を包含してもよい。なお、非一過性の記録媒体とは、一過性の伝搬信号（transitory, propagating signal）を除く任意の記録媒体を含み、揮発性の記録媒体を除外するものではない。また、通信網を介した配信の形態でプログラムをコンピュータに提供してもよい。また、以上に例示したプログラムは、通信網を介した配信の形態で提供されてコンピュータにインストールされる。
【０１０２】
（１４）前述の各形態では、音信号のうちの再生部分が表す音を放音装置１３０に放音させ、当該再生部分に対応する振動信号に応じて操作部２３０を振動させたが、放音装置１３０から放音される音は音信号が表す音に限定されない。例えば、複数種の音（例えば楽器の演奏音）のうち操作部２３０に対する操作に応じた音を放音装置１３０に再生させるサンプラにも本発明が適用される。例えば、操作部２３０は、相異なる音に対応する複数の操作子を含んで構成される。再生制御部６２は、複数の操作子のうち利用者が操作した操作子に対応する音を放音装置１３０に放音させる。また、振動制御部６４は、放音装置１３０に放音させる音に応じた振動信号を振動付与部に供給することで操作部２３０を振動させる。以上の例示から理解される通り、本発明の好適な態様に係る再生システムは、利用者が接触した状態で操作する操作部に対する操作に応じた音を放音装置に再生させる再生制御部と、当該音に対応した振動信号に応じて操作部を振動させる振動付与部とを具備する。
【０１０３】
（１５）以上に例示した形態から、例えば以下の構成が把握される。
【０１０４】
本発明の好適な態様（第１態様）に係る再生システムは、利用者が接触した状態で操作する操作部に対する操作に応じた音を放音装置に再生させる再生制御部と、前記音に対応した振動信号に応じて前記操作部を振動させる振動付与部とを具備する。以上の態様によれば、放音装置による再生音を利用者が触覚的に感取することが可能である。
【０１０５】
第１態様の好適例（第２態様）において、前記再生制御部は、音信号のうち前記操作部に対する操作に応じて変化する再生点に対応する部分が表す音を前記放音装置に再生させ、前記振動付与部は、前記音信号のうち前記再生点に対応する部分に応じた前記振動信号に応じて前記操作部を振動させる。以上の態様では、以上の構成では、音信号のうち、利用者が接触した状態で操作する操作部に対する操作に応じて変化する再生点に対応する再生部分に応じて操作部が振動する。したがって、音信号のうち再生点に対応する再生部分が表す音を利用者が触覚的に感じ取ることができる。なお、操作部が利用者の操作に応じて回転する構成によれば、従前から普及している自然なＤＪプレイのスタイルを維持できる。
【０１０６】
第２態様の好適例（第３態様）に係る再生システムは、前記操作部を支持する筐体を具備し、前記振動付与部は、前記筐体に収容される。以上の態様によれば、振動付与部が筐体に収容されるから、振動付与部が筐体とは別体で用意された構成と比較して、再生システムの取扱いが容易であるという利点がある。
【０１０７】
第２態様の好適例（第４態様）において、前記振動付与部は、前記操作部に載置される。以上の態様によれば、振動付与部が操作部とは別体で用意されて当該操作部に載置される。したがって、操作部の任意の位置に振動付与部を載置できるという利点がある。なお、前記係合部が、前記操作部の表面に凸状または凹状に形成された構成によれば、操作部への振動付与部の装着がより容易である。
【０１０８】
第４態様の好適例（第５態様）に係る再生システムは、前記操作部の表面に形成された係合部と、前記振動付与部を収容する筐体とを具備し、前記筐体は、前記係合部と係合する。以上の構成では、操作部の表面に形成された係合部と振動付与部を収容する振動装置とが係合する。したがって、操作部への振動付与部の装着が容易である。
【０１０９】
第２態様から第５態様の好適例（第６態様）において、前記操作部は、前記利用者の操作に応じて回転する円盤状の部材であり、前記操作部の周縁に沿って配置され、前記放音装置が再生する音に応じて発光する発光部を具備する。以上の態様によれば、放音装置による再生音を、利用者が聴覚および触覚だけでなく視覚によっても感取できるという利点がある。
【０１１０】
第２態様から第６態様の何れかの好適例（第７態様）に係る再生システムにおいて、前記操作部は、レコードであり、前記操作部が載せられる載置部を具備し、前記載置部は、前記操作部を回転させる。以上の構成では、操作部としてレコードが載置された状態で載置部が回転する。したがって、レコードを扱うＤＪプレイのスタイルを維持できる。第７態様の好適例に係る再生システムは、前記載置部の表面の中心に形成された凸状の係合部と、前記振動付与部を収容する筐体とを具備し、前記係合部は、前記レコードの中心穴に挿入され、前記筐体は、前記係合部に対して着脱可能に係合する。以上の構成では、載置部の表面の中心に形成されレコードの中心穴に挿入される凸状の係合部と振動付与部を収容する筐体とが係合するので、レコードの中心穴に挿入される凸状の係合部を、振動付与部を収容する筐体の装着に利用することができる。また、載置部への振動付与部（筐体）の装着が容易である。
【０１１１】
第７態様の好適例（第８態様）に係る再生システムは、前記音信号が記録された前記レコードから、前記音信号のうち、前記再生点に対応する再生部分を検出する検出部を具備し、前記再生制御部は、前記音信号のうち前記検出部が検出した再生部分が表す音を前記放音装置に再生させ、前記振動付与部は、前記音信号のうち前記検出部が検出した再生部分に応じて前記操作部を振動させる。以上の構成では、レコードに記録された音信号のうち検出部が検出した再生部分に応じて操作部が振動する。したがって、レコードに記録された音信号を利用して、レコードを振動させることが可能である。
【０１１２】
第７態様の好適例（第９態様）に係る再生システムは、時間データの時系列が記録された前記レコードから、前記再生点を示す前記時間データを検出する検出部を具備し、前記再生制御部は、前記音信号のうち前記検出部が検出した時間データが示す再生点に対応する再生部分が表す音を前記放音装置に再生させ、前記振動付与部は、前記音信号のうち前記検出部が検出した時間データが示す再生点に対応する再生部分に応じて前記操作部を振動させる。以上の構成では、音信号のうちレコードから検出された時間データが示す再生点に対応する再生部分に応じて操作部が振動する。したがって、レコードに記録された時間データを利用して、レコードを振動させることが可能である。
【０１１３】
第２態様から第９態様の何れかの好適例（第１０態様）に係る再生システムは、前記音信号のうち前記再生点に対応する部分に応じて前記振動信号を生成する振動制御部を具備する。
【０１１４】
第１０態様の好適例（第１１態様）において、前記振動制御部は、前記音信号のうち前記再生点に対応する部分の信号強度を調整することで前記振動信号を生成する。第１１態様の好適例において、前記振動制御部は、前記音信号のうち再生点に対応する部分の信号強度を調整することで振動信号を生成する。また、第１１態様の好適例において、前記振動制御部は、前記音信号のうち前記再生点に対応する部分において前記信号強度が閾値を上回る部分を圧縮した振動信号を生成する。以上の構成によれば、振動信号の信号強度が過度に大きくなることを低減することができる。
【０１１５】
第１０態様の好適例（第１２態様）において、前記振動制御部は、前記音信号のうち前記再生点に対応する部分の周波数特性を調整することで前記振動信号を生成する。第１２態様の好適例において、前記振動制御部は、前記音信号のうち前記再生点に対応する部分において高域側の周波数成分を抑制した振動信号を生成する。また、第１２態様の好適例において、前記振動制御部は、前記音信号のうち前記再生点に対応する部分において低域側の周波数成分を抑制した振動信号を生成する。
【０１１６】
本発明の好適な態様（第１３態様）に係る振動装置は、音信号のうち、利用者が接触した状態で操作する操作部に対する操作に応じて変化する再生点に対応する部分に応じて前記操作部を振動させる振動付与部を具備する。以上の態様によれば、音信号のうち再生点に対応する再生部分が表す音を利用者が触覚的に感じ取ることができる。
【０１１７】
本発明の好適な態様（第１４態様）に係る再生システムの制御方法は、利用者が接触した状態で操作する操作部に対する操作に応じた音を放音装置に再生させ、前記音に対応した振動信号に応じて前記操作部を振動させる。以上の態様によれば、放音装置による再生音を利用者が触覚的に感取することが可能である。
【０１１８】
第１４態様の好適例（第１５態様）に係る制御方法において、前記再生させることにおいては、音信号のうち前記操作部に対する操作に応じて変化する再生点に対応する部分が表す音を前記放音装置に再生させ、前記操作部を振動させることにおいては、前記音信号のうち前記再生点に対応する部分に応じた前記振動信号に応じて前記操作部を振動させる。以上の態様によれば、音信号のうち再生点に対応する再生部分が表す音を利用者が触覚的に感じ取ることができる。
【符号の説明】
【０１１９】
１……再生システム、１０……制御システム、１１０……記憶装置、１２０……通信装置、１３０……放音装置、１４０……表示装置、１５０……入力装置、１６０……制御装置、２０……操作装置、２１０……筐体、２３０……操作部、２３１……遮光部、２３２，２１３……透光部、２３３……発光部、２３４…発光素子、２５０……操作検出部、２７０……通信装置、２８０……載置部、２９０……検出装置、５０A，５０B，５０C……駆動機構、９１……検出部、９３……支持部、３０……振動装置、３１０……筐体、３３０……通信装置、３５０，６０A，６０B，６０C……振動付与部、３７０……凹部、６２……再生制御部、６４……振動制御部、８１……係合部、３３……中心穴。
【図１】
0006784320.tif 000002
【図２】
0006784320.tif 000003
【図３】
0006784320.tif 000004
【図４】
0006784320.tif 000005
【図５】
0006784320.tif 000006
【図６】
0006784320.tif 000007
【図７】
0006784320.tif 000008
【図８】
0006784320.tif 000009
【図９】
0006784320.tif 000010
【図１０】
0006784320.tif 000011
【図１１】
0006784320.tif 000012
【図１２】
0006784320.tif 000013
【図１３】
0006784320.tif 000014
【図１４】
0006784320.tif 000015
【図１５】
0006784320.tif 000016
【図１６】
0006784320.tif 000017